(57)【要約】この発明は一種のスクイズ・エキステンション・パイル（押し広げ杭）用の施工装置を提供する。この装置はコネクタ（３）を含む。このコネクタ（３）の一端はクレーン（７）と接続し、もう一端の中心は回転器（２）を通して、スクイズ・エキステンション機構（１）と接続して、二本のオイルパイプ（４）はクレーン（７）の上にある油圧作業台（６）と電子測定制御装置の圧力センサ（５−２）と流量センサ（５−１）と接続する。この装置の中のスクイズ・エキステンション機構（１）は上下には二つの同じなシリンダ（１−２４、１−２２；１−１０、１−１１）及び底部のスクイズ・シリンダ（１−３、１−４）を持つ。前に述べたオイルパイプ（４）は中心ロッドとしてのピストン・ロッド（１−８）の内に設置する。前に述べた圧力センサ（５−２）と流量センサ（５−１）はみなクレーンの上に設置する。
2004516397.tif 000002
【特許請求の範囲】
【請求項１】
マルチセクション三叉スクイズ・エキステンション・パイルの装置はスクイズ・エキステンション・ダイヘッド、クレーン、電子測定制御装置、回転部分、コネクタ、オイルパイプを含み、
その特徴は、
コネクタ（３）の一端はクレーンのフックと接続し、コネクタのもう一端は回転装置（２）の中心用シャフト・ピン（３−１）によってスクイズ・エキステンション・ダイヘッド（１）と接続する。スクイズ・エキステンション・ダイヘッドの二本のオイルパイプ（４）はクレーン（７）によって油圧作業台（６）と接続し、油圧作業台（６）は電子測定制御装置（５）の圧カセンサ（５−２）と流量センサ（５−１）と接続して、電子測定制御装置（５）と油圧作業台（６）はみなクレーン（７）の上に付けておく。
【請求項２】
請求項１で述べたスクイズ・エキステンション装置において：
その特徴は、
前記スクイズ・エキステンション・ダイヘッド（１）の中心給油管（１−１３）とオイル・リターン・パイプ（１−１２）はそれぞれ二つのオイルパイプ（４）と接続する。給油管（１−１３）とオイル・リターン・パイプ（１−１２）は最上部の外面にエニオン・キャップ（１−２９）がある。その下には上エニオン・キャップ（１−２８）がある。キャップの内にピン（１−２７）とナット（１−２６）の接続がある。給油管（１−１３）とオイル・リターン・パイプ（１−１２）の外面にあるピストン・ロッド（１−８）を固定する。上のエニオン・キャップ（１−２８）の下には上シリンダの上ガイドカバー（１−２５）と接続し、上ガイドカバー（１−２５）の外に上シリンダ胴（１−２４）がある。その下には上シリンダの下ガイドカバー（１−２３）があって、中には上シリンダの上ピストン（１−２２）がある。上シリンダの上ピストン（１−２２）の下には上カップリング（１−２１）がある。中には三つのシャフト・ピン（１−２０）がある。三つの上弓形圧下アーム（１−１９）と三つの下弓形圧下アーム（１−１７）及び三つの心軸ピン（１−１８）がある。下カップリング（１−１５）は下シリンダの下ピストン（１−１１）と接続して、その外には下シリンダの下ガイドカバー（１−１４）がある。その下には下シリンダ胴（１−１０）と下シリンダの下ピストン（１−１１）がある。その下には下シリンダの上ガイドカバー（１−９）があって、下ピストン（１−１１）及び下シリンダの上ガイドカバー（１−９）はみな下シリンダ胴（１−１０）の中にある。ピストン・ロッド（１−８）は中心ロッドとして上下シリンダ及び上下カップリングの中心を貫通する。ピストン・ロッド（１−８）の下端にはピン（１−６）がある。ナット（１−７）を通してピストン・ロッド（１−８）を止締め付ける。オイル・イン・パイプ（１−１３）の末端には逆止め弁（１−３１）と方向切り替え弁（１−３０）がある。方向切り替え弁は圧力方向切り替え弁と電磁方向切り替え弁のどっちでも良い。オイル・リターン・パイプ（１−１２）は下のスクイズ・シリンダ胴（１−３）の内に接続する。スクイズ・シリンダ胴（１−３）はピストンのピストン・ロッド（１−４）の外面にある。ピストン・ロッド（１−４）の下にガイドカバー（１−２）がある。ガイドカバー（１−２）の下に圧力ブロック（１−１）がある。
【請求項３】
請求項１で述べた装置において：
その特徴は、
前記油圧作業台（６）の二本高圧オイルパイプ（４）はそれぞれ電子測定制御装置（５）の圧力センサ（５−２）と流量センサ（５−１）に接続している。これらはまたそれぞれ信号増幅器（５−３）と接続する。信号増幅器（５−３）はＶ／Ｆ変換器（５−４）と接続する。ワンチップ機測定制御システム（５−５）はノート・コンピュータ（５−６）と接続して、電話（５−７）はノート・コンピュータ（５−６）と接続する。
【請求項４】
請求項１で述べた装置において：
その特徴は、
前記コネクタ（３）は下ジョイント・ロッド（３−２）を通してスクイズ・エキステンション・ダイヘッド（１）のエニオン・キャップ（１−２９）の中に挿入する。それから二つのシャフト・ピン（３−１）で接続する。下ジョイント・ロッド（３−２）は上ジョイント・ロッド（３−３）に挿入して、シャフト・ピン（３−１）を通して接続する。接続の時に下ジョイント・ロッド（３−２）と上ジョイント・ロッド（３−３）の間にわりに大きな隙間を残しておく。そして下ジョイント・ロッド（３−２）とエニオン・キャップ（１−２９）とシャフト・ピン（３−１）とエニオン・キャップ（１−２９）及び上ジョイント・ロッド（３−３）の間にもみなわりに大きな隙間を残しておくようにしなければならない。コネクタは多段式である。
【請求項５】
請求項１で述べた装置において：
その特徴は、
前記回転ブロック（２−４）は基準ブロック（２−１）の上に付けておく。圧力軸受（２−２）と軸受（２−３）はそれぞれ基準ブロック（２−１）と回転ブロック（２−４）の間にある。三つのロック・シリンダ（２−５）は回転ブロック（２−４）の上に据え付ける。ロック・ブロック（２−６）はロック・シリンダ（２−５）のピストン・ロッドの上に据え付ける。二つの回転シリンダ（２−８）はシャフト・ピン（２−７）を通して、それぞれ基準ブロック（２−１）及び回転ブロック（２−４）の上に接続する。並列的に接続した四本のイン・リターンオイルパイプ（２−９）は油圧作業台（６）と接続する。三つのロック・シリンダの六本のオイルパイプ（２−１０）は並列的に油圧作業台（６）に接続する。シャフト・ピン（２−１１）を通して基準ブロック（２−１）をクレーン（７）に接続する。
【発明の詳細な説明】
【０００１】
（技術領域）
この発明は一種の建築、橋梁あるいは各種の基礎的な鉄筋コンクリート杭のスクイズ・エキステンション装置に関する。特に一種のマルチセクション三叉スクイズ・エキステンション・パイル用のスクイズ・エキステンション装置に関する。これで橋パイル、建築物パイル、フレーム・スロープ・パイル、高圧のアンカー・アームなどに用いる。
【０００２】
（背景技術）
中国特許権ＣＮ９８１０２８４１．１の全智能多機能の油圧スクイズ・エキステンション装置は現在のスクイズ・エキステンション装置と比べて、画期的に改善された。故障の発生率はとても少なくなって作業効率は大いに高めたが、この装置には多くのオイルパイプを採用したために、動きシリンダとオリエンテーション・シリンダのシール条件の要求はわりに高くなって問題が発生しやすい。表層土はわりに良い時にオリエンテーション装置が順調に位置定めを完成できるし、表層土はあまりよくない時に良い位置定めに達することができなくなる。その外にオリエンテーション装置とスクイズ・エキステンションの弓形圧下アームの間の高さの差は２−３ｍである。もしわりに短いパイルをスクイズ・エキステンションする時、位置定め空間はなくなる。そして、この装置は水平方向にスクイズ・エキステンションをするから、実際には上下の移動もあるし、地層には下部が硬くて上部が柔らかいからである。もし装置が上に浮かすと位置定めが失効することになる。なお、スクイズ・エキステンションする時一つのシリンダで二つのボスウェイ運動を完成するという方法を採用するために下のピストンは必ず三つの隙間にはめるシールがあるはずである。そのために部品の寿命は大いに短くなるのである。そして据え付けも加工も難しくなる。また圧力センサと変位センサは穴の中で作業するときに条件が悪いので、その信頼性も大いに下がる。こうして、一セットのケーブルを増やしたために、制御するのがくどくどしくなって、信頼性もよくなくなる等である。
【０００３】
（発明の公開）
この発明の目的は一種の構造が簡単で作業の信頼性があり、位置定めが良くて、使用寿命がながくて、加工と据え付けと取り外しの便利なスクイズ・エキステンション装置を設計することにある。いままでの一つのシリンダを現在の上下の二つのシリンダに改良する。ムービング・シールをサイレント・シールに改良する。外のオイルパイプをオイルパイプが中心としてのピストン・ロッドを通るように改良した。このオイルパイプがシリンダ本体の外に接続したことでの損害を避ける。土体或いは砂が落ちないようにするために上下のシリンダの大きさは同じように改良された。だから、三つのスクイズ・エキステンション・アームが水平方向に沿ってスクイズ・エキステンションを立派に完成することができる。作業の信頼性を高める為に地下センサ制御を地面の制御に改良した。プライミング杭の穴尻のシンダ（沈渣）の問題を解決するために、下のシリンダの底部にスクイズ・シリンダ等を増加した。
【０００４】
この発明の目的はこういうように実現されたのである。コネクタの一端はクレーンのフックと接続し、もう−端は回転装置の中心を通してシャフト・ピンとスクイズ・エキステンション・ダイヘッドで接続する。スクイズ・エキステンション・ダイヘッドの二つのオイルパイプはクレーンを通して油圧作業台に接続する。油圧作業台は電子測定制御装置の圧力センサと流量センサと接続する。電子測定制御装置と油圧作業台はみなクレーンに付けておく。その中に二つのオイルパイプはそれぞれスクイズ・エキステンション・ダイヘッドの中心にある。オイル・イン・パイプとオイル・リターン・パイプの上に接続する。オイル・イン・パイプとオイル・リターン・パイプの一番上部の外にはエニオン・キャップがある。下には上エニオン・キャップがある。上のエニオン・キャップ内にはピンとナットと接続し、オイル・イン・パイプとオイル・リターン・パイプの外のピストン・ロッドを締め付ける。上のエニオン・キャップの下には上のシリンダの上ガイドカバーの接続があり、上ガイドカバーの外にはシリンダ胴があり、その下には上のシリンダの下ガイドカバーがあって、その中で上のシリンダの上ピストンがある。上シリンダの上ピストンの下にカップリングがあり、中には三つのシャフト・ピン、三つの上弓形圧下アームと三つの下弓形圧下アーム及び三つの中軸ピンがある。下のカップリングに下のシリンダの下ピストンを接続し、外には下のシリンダの下ガイドカバーがあり、その下に下シリンダ胴があり、下シリンダの下ピストンがある。その下には下シリンダの上ガイドカバーがあり、下ピストン及び下シリンダの上ガイドカバーはみな下シリンダ胴の中にある。ピストン・ロッドは中心ロッドとして上下シリンダ及び上下カップリングの中心を貫通する。ピストン・ロッドの下端にはピンがあって、ナットでピストン・ロッドを締め付ける。オイル・イン・パイプの末端には逆止め弁と方向切り替え弁（圧力逆止め弁或いは電磁方向切り替え弁でもよい）があり、オイル・リターン・パイプは下のスクイズ・シリンダ胴の中と接続して、スクイズ・シリンダ胴はピストンのピストン・ロッドの外にあり、ピストンの下にはガイドカバーがあり、ガイドカバーの下には圧力ブロックがある。
【０００５】
いままで述べた油圧作業台の二つの高圧オイルパイプがそれぞれ電子測定制御装置の圧力センサ、流量センサと接続する。また、それぞれ信号増幅器（シングルアンプ）と接続して、信号増幅器はＶ／Ｆ変換器と接続する。ワンチップ機の測定制御器はそれぞれＶ／Ｆ変換器とノート・コンピュータと接続して、電話はノート・コンピュータと接続する。
【０００６】
前記コネクタは下ジョイント・ロッドを通してスクイズ・エキステンション・ダイヘッドのエニオン・キャップに挿入して、それから二つのシャフト・ピンで接続する。下のジョイント・ロッドを上のジョイント・ロッドに挿入して、シャフト・ピンで接続する。接続の時に一番良いのが下のジョイント・ロッドと上のジョイント・ロッドの間に大きな隙間を残しておく。そして下のジョイント・ロッドとエニオン・キャップ及びシャフト・ピンとエニオン・キャップ、また上のジョイント・ロッドの間にはみなわりに大きな隙間を残しておくようにする。そのコネクタは多段式である。
【０００７】
前記回転装置の回転ブロックは基準ブロックに付けて置く。圧力軸受と軸受はそれぞれ基準ブロックと回転ブロックの間にあり、三つのロック・シリンダは回転ブロックの上に据え付けて、ロック・ブロックはロック・シリンダのピストン・ロッドの上に据え付け、二つの回転シリンダはシャフト・ピンを通してそれぞれ基準ブロックと回転ブロックの上に接続する。並列的に接続した四本は給、排油管が油圧作業台に接続して、三つのロック・シリンダの六本のオイルパイプは並列的に油圧作業台の上に接続する。シャフト・ピンを通して基準ブロックをクレーンに接続する。
【０００８】
（付属図についての簡要な説明）
次は付属図を結合してこの発明について実施例を詳しく述べよう。
図１はこの発明の各部品が接続したブロック・ダイヤグラムである。
図２はこの発明のスクイズ・エキステンション・ダイヘッド構造の断面図である。
図３はこの発明の位置定め回転部分の上面図である。
図４は図３の位置定め回転部分を示すＡ−Ａ線断面図である。
図５はこの発明のコネクタの断面図である。
図６はこの発明の電子測定制御装置の原理的なブロック図である。
【０００９】
（この発明を実現する一番良い方式）
図１と図２の示す通りクレーン７に設置した地面油圧作業台６は二つのオイルパイプ４によってシリンダの作業を制御して、コネクタ３は回転装置２の中心を通して、下のジョイント・ロッド３−２を通し、スクイズ・エキステンション・ダイヘッド１のエニオン・キャップ１−２９に挿入して、二つのシャフト・ピン３−１でエニオン・キャップ１−２９と下のジョイント・ロッド３−２を接続し、下のジョイント・ロッド３−２の上部はシャフト・ピン３−１で上のジョイント・ロッド３−３を接続する。スクイズ・エキステンション・ダイヘッド１の上下シリンダはそれぞれ上のガイドカバー１−２５、１−９と下のガイドカバー１−２３、１−１４がある。そしてそれぞれ上のシリンダ胴１−２４と下のシリンダ胴１−１０を接続する。エニオン・キャップ１−２９の下の上エニオン・キャップ１−２８の内にはピン１−２７とナット１−２６の接続がある。給油の時、ピストン・ロッド１−８内の給油管１−３はそれぞれ上下シリンダの側油路１−１３′、１−１３″でシリンダの給油室にはいる。上のシリンダの上ピストン１−２２が下に運動させ、同時に下のシリンダのピストン１−１１が上に移動させ、これと同時にオイルパイプ１−１２は上下シリンダの側油路１−１２′、１−１２″によってオイル・リターンをして、オイルパイプ１−１３とオイルパイプ１−１２は圧力が同じなので、ピストン１−１１とピストン１−２２の面積は同じである。これらは受けた圧力も同様である。作業するときに移動の大きさも同じである。上のピストン１−２２は下に向いて、下のピストン１−１１は同時に上に向かって運動する。上下カップリング１−２１と１−１５によって弓形圧下アーム１−１７、１−１９を押し広げて、軸１−１８によって水平方向に伸ばし、即ちスクイズ・エキステンションをする。スクイズ・エキステンションされた上下弓形圧下アームが特定角度になった時、上下シリンダは頂部に達した。油の圧力が高くなり、この時圧力方向切り替え弁が開き、ピストン・ロッド１−４は圧力ブロック１−１につれて下に向かって運動し、即ちシンダをスクイズする。スクイズしてから地面油圧台の制御オイルパイプ１−１２はピストン１−２２、１−１１、１−４を回収して、一回のスクイズ・エキステンション作業を完成した。オイル・リターンの時逆止め弁１−３１が開いて、給油する時ボスウエイ弁１−３０によって入る。
【００１０】
スクイズ・シリンダを制御するには二種類の弁を用いる。つまり圧力方向切り替え弁或いは電磁万向切り替え弁である。圧力ブロック１−１はピストン１−４を接続し、シリンダ胴のガイドカバー１−２とシリンダ胴１−３の中で上下に運動し、シリンダ・キャップ１−５は下のシリンダの上ガイドカバー１−９と接続し、ロック・ナット１−７はピストン・ロッド１−８と下のシリンダの上ガイドカバー１−９を止締め付ける。ピン１−６はピストン・ロッドを貫いてロックされたナット１−７に固定される。下のシリンダの上ガイドカバー１−９はシリンダ胴１−１０と接続して、下のシリンダの下ガイドカバー１−１４はシリンダ胴１−１０と接続し、下のシリンダのピストン１−１１は内がピストン・ロッド１−８に沿って外がシリンダ胴に沿って上下に移動する。下のシリンダのピストン１−１１は下のカップリング１−１５を接続し、シャフト・ピン１−１６、１−１８、１−２０を通して、三対の弓形圧下アーム１−１７、１−１９を押し広げて上下に変位する。三対の弓形圧下アームはシャフト・ピンによって上下の変位を横の変位に切り替えさせ、軸１−１８の水平方向に沿ってスクイズ・エキステンションをして回収する。上のシリンダと下のシリンダの運動方式と作業方式はほとんど同じである。
【００１１】
図５に示したのはコネクタ３の断面図である。今までのワイヤ・ケーブル接続を隙間のあるスチール・パイプ接続に改良された（スチール・パイプの横断面は円形でも方形でも良い）。スチール・パイプは一本一本によってつないだのであるが、お互いにつりこみ時隙間を大きくするはずである。シャフト・ピン３−１で接続し、こうすると解体するときも便利である。引っ張り力やマイアブル張力を伝動するばかりでなく、穴の深さをも測定できる。コネクタ３はスクイズ・エキステンション・ダイヘッド１と接続する時一つか二つかのシャフト・ピン３−１で接続する。
【００１２】
図３と図４に示したように回転装置２はその回転ブロック２−４が基準ブロック２−１の上に付けておく。圧力軸受２−２、軸受２−３はそれぞれ基準ブロック２−１と回転ブロック２−４の間にある。回転ブロック２−４の上に三つのロック・シリンダ２−５があり、ロック・シリンダ２−５のピストン・ロッドの上にロック・ブロック２−６があり、二つの回転シリンダ２−８はシャフト・ピン２−７を通して、それぞれ基準ブロック２−１及び回転ブロック２−４の上につなぐ。並列的に接続した四本のイン・リターン・オイルパイプ２−９は油圧作業台６の上に接続する。三つのロック・シリンダの六本のオイルパイプ２−１０は並列的に油圧作業台に接続する。シャフト・ピン２−１１を通して基準ブロックをクレーン７と接続する。コネクタ３は下穴が一定の深さになる時、ロック・シリンダ２−５によってコネクタを止締め付ける。こうして回転シリンダ２−８が作業して、コネクタを一つの角度に回転させ、次のスクイズ・エキステンション・ダイヘッドが一回スクイズ・エキステンションをしてからゆるめて、再び一つの角度に移動して、ロック・シリンダ２−５を通してコネクタを止締め付ける。次のスクイズ・エキステンション・ダイヘッド１がもう一度スクイズ・エキステンションをして、こういうように繰り返して多くの三叉ダイスペースを完成する。
【００１３】
図６に示したのは電子測定制御装置の原理ブロック図である。電子測定制御装置５の中の圧力センサ５−２はスクイズ・エキステンションの圧力値をリアルタイムに反映し、信号増幅器５−３とＶ／Ｆ変換器５−４によって妨害対抗の数字頻度信号を生ずるし、長線の伝送を経てシングル・チップ・マイクロ・コンピュータ測定制御器５−５に入って、シングル・チップ・マイクロ・コンピュータ５−５によって取り扱ってから、ノート・コンピュータ５−６に送る。流量センサ５−１は油圧台での流量状態値をリアルタイムに反映し、信号増幅器５−３とＶ／Ｆ変換器５−４を通して妨害対抗の数字頻度信号を生ずる。長線の伝送を経て，シングル・チップ・マイクロ・コンピュータ測定制御器５−５に入って、シングル・チップ・マイクロ・コンピュータの処理を通してから、ノート・コンピュータ５−６に送る。この装置は使われたソフトウェア・システムが二つの部分に分かれている。
第一部分：引き下げ機は工業制御のシングル・チップ・パソコンを採用して、アセンブリー言語を採用して、リアルタイムに測定の処理をする。ＲＳ２３２の直列ＬＩによってノート・コンビュータに伝送しＷｉｎｄｏｗｓ９８（登録商標）平台で操業する。
第二部分：引き上げ機はノート・コンピュータを採用する。ＶＢ言語を採用してＷｉｎｄｏｗｓ９８（登録商標）平台で操業する。グラフはリアルタイムに圧力、流量と角度の二次元グラフ信号をディスプレイして、そしてグラフのメモリもでき、１本杭のいくつかのディスク（皿）のすべての圧力、流量と角度値をメモリすることができる。電話線によってインターネットで発送できるし、現場の作業情況をリアルタイムに本部に伝えられる。電話５−７を通して本部に伝えてもいいから、パイルの良い品質が保証される。
【００１４】
（工業応用性）
この発明は現在の技術と比べて持っている積極的な効果は次の通りである。
（１）  普通のシリンダのオイルパイプはみなシリンダ胴の外に走っているのであるが、この発明のオイルパイプが中心ロッドを通っており、安全性、信頼性を持つ。この装置は作業の時オイルパイプがシリンダ胴の外で接続していたことでの損害を避ける。
（２）上下には二つの同じ大きさのシリンダが設置される。作業の時、同じ圧力でともに内に或いは外に向かってシリンダの外に向かう運動を通して、弓形圧下アームが水平方向に沿って外に広げて或いは収縮して、スクイズ・エキステンションをする。弓形圧下アームが水平方向に沿って運動するので、スクイズ・エキステンションをする過程で弓形圧下アームがずっと土体に突き刺すのであるから、土体や砂が落ちないようになる。側面ダイスペースのスクイズ・エキステンション作業を立派に完成できる。
（３）内部の位置定めの三叉弓形圧下アームが等分１２０°であるから、この装置はスクイズ・エキステンションをする過程中に等分の三叉ダイスペースを完成させる。そして三叉ダイスペース杭の受け力が合理と安定を保持する。弓形圧下アームを取り戻す時、弓形圧下アームの内に三角形と中心位置定めロッドは切線になるために、弓形圧下アームに付けたシルトを外に締め出される。こうして弓形圧下アームのスクイズ・エキステンションと収縮は順調に完成させる。
（４）スクイズ・シリンダは底部に設置する優れた点：三叉弓形圧下アームが最大に土内にスクイズ・エキステンションする時、圧力方向切り替え弁或いは電磁方向切り替え弁によってスクイズ・シリンダの給油口を開き、スクイズ・シリンダが下に突き出し、三叉弓形圧下アームが反力を提供する情況に圧力ブロックは穴底のシンダをスクイズして、多年に解決できないプライミング杭の穴尻シンダの難点を有効的に解決した。施工の品質が大いに高められた。この装置は穴底スクイズ装置にも命名できる。
（５）三叉杭の構成はこの装置のもう一つ特徴である。この装置だけでマルチセクション三叉型杭になれる。マルチセクション３ｎ叉型杭或いはマルチセクション三叉及びマルチセクション３ｎ叉組合型杭は一定の広さで１２０°分布によって等辺三角形の形状の杭体になる。側面の摩擦抗力が増加する同時に端の耐荷力にも増加した。だからこのような杭は受け力が合理である。
（６）上下に二つのシリンダが採用されたので、二つのシリンダが同時に運動して作業の効率が大いに高められる。作業は信頼性を持ち、制作プロセスも簡略化であり、二つのシリンダは互換性が強くて、保守も便利である。スクイズ・エキステンション弓形圧下アームが回収する時に同時に回収できない欠点を克服した。
（７）回転位置定め装置を地面に置いて、穴下にあるオイルパイプが減少した。そして地面で位置定めと回転を見ることができる。だから施工の信頼性が大いに高まった。
（８）電子測定制御装置を採用する。角度と変位センサを地下から地面に移して改良したので、取り扱いと据え付けはみな簡略化され、作業ももっと信頼性が備わる。
（９）コネクタの接続は隙間を残しておくので、ロング・ステム鋼性の梃子作用を克服した。またフレキシブル・スチール・ワイヤロープ組み付け自転の欠点を解決した。回転と位置定めが確かに保証される。
【図面の簡単な説明】
【図１】
この発明の各部品が接続したブロック・ダイヤグラムである。
【図２】
この発明のスクイズ・エキステンション・ダイヘッド構造の断面図である。
【図３】
この発明の位置定め回転部分の上面図である。
【図４】
図３の位置定め回転部分を示すＡ−Ａ線断面図である。
【図５】
この発明のコネクタの断面図である。
【図６】
この発明の電子測定制御装置の原理的なブロック図である。
【図６】
2004516397.tif 000003
【国際公開パンフレット】
2004516397.tif 000004
2004516397.tif 000005
2004516397.tif 000006
2004516397.tif 000007
2004516397.tif 000008
2004516397.tif 000009
2004516397.tif 000010
2004516397.tif 000011
2004516397.tif 000012
2004516397.tif 000013
2004516397.tif 000014
2004516397.tif 000015
2004516397.tif 000016
2004516397.tif 000017
2004516397.tif 000018
2004516397.tif 000019
2004516397.tif 000020
2004516397.tif 000021
【国際公開パンフレット（コレクトバージョン）】
2004516397.tif 000022
2004516397.tif 000023
【国際調査報告】
2004516397.tif 000024
2004516397.tif 000025
2004516397.tif 000026
2004516397.tif 000027